(57)【特許請求の範囲】
【請求項１】
閉ループ状の切込の内側が貼付用シートとされ、当該切込の外側が帯状の不要シートとされた接着シートの一方の面に、帯状の剥離シートが仮着された原反を繰り出し可能な繰出手段と、
前記繰出手段で繰り出される原反から前記貼付用シートを剥離する剥離手段とを備え、
前記不要シートと剥離シートとの仮着状態を維持可能な繋ぎ部材を付設する繋ぎ部材付設手段を有することを特徴とするシート供給装置。
【請求項２】
前記不要シートが前記剥離シートから剥がれるトンネリング現象を検知可能な検知手段を有することを特徴とする請求項１に記載のシート供給装置。
【請求項３】
閉ループ状の切込の内側が貼付用シートとされ、当該切込の外側が帯状の不要シートとされた接着シートの一方の面に、帯状の剥離シートが仮着された原反を繰り出す工程と、
前記不要シートと剥離シートとの仮着状態を維持可能な繋ぎ部材を付設する工程と、
前記繰り出される原反から前記貼付用シートを剥離する工程とを備えていることを特徴とするシート供給方法。
【発明の詳細な説明】
【技術分野】
【０００１】
本発明は、シート供給装置および供給方法に関する。
【背景技術】
【０００２】
従来、被着体に接着シートを貼付するシート貼付装置が利用されている（例えば、特許文献１参照）。
【先行技術文献】
【特許文献】
【０００３】
【特許文献１】特開２００６−１８２３９６号公報
【発明の概要】
【発明が解決しようとする課題】
【０００４】
しかしながら、特許文献１に記載されたような従来の装置に、閉ループ状の切込の内側が貼付用シートとされ、外側が帯状の不要シートとされた接着シートの一方の面に、帯状の剥離シートが仮着された原反が採用されると、図１のＡＡで示した図の二点鎖線で示すように、剥離手段の折曲部で、不要シートが剥離シートから剥がれてしまう現象（以下、「トンネリング現象」という場合がある）が発生する場合がある。このようなトンネリング現象は、接着シートと剥離シートとの巻回径や折曲径の相違が起因しており、巻回された原反が当該巻回から解かれたときや、原反がローラやガイド等によって折り曲げられたときに発生し易い。そして、このようなトンネリング現象を放置して原反を繰り出し続けると、当該トンネリング現象を起こしている不要シート部分がどんどん大きくなり、当該不要シート部分が貼付ローラ（押圧手段）と半導体ウエハ（以下、単に「ウエハ」という場合がある）（被着体）との間に入ってしまい、貼付用シートの貼付不良や被着体の損傷等を招来するという不都合がある。
【０００５】
本発明の目的は、トンネリング現象を抑制することができるシート供給装置および供給方法を提供することにある。
【課題を解決するための手段】
【０００６】
前記目的を達成するために、本発明のシート供給装置は、閉ループ状の切込の内側が貼付用シートとされ、当該切込の外側が帯状の不要シートとされた接着シートの一方の面に、帯状の剥離シートが仮着された原反を繰り出し可能な繰出手段と、前記繰出手段で繰り出される原反から前記貼付用シートを剥離する剥離手段とを備え、前記不要シートと剥離シートとの仮着状態を維持可能な繋ぎ部材を付設する繋ぎ部材付設手段を有する、という構成を採用している。
【０００７】
この際、前記不要シートが前記剥離シートから剥がれるトンネリング現象を検知可能な検知手段を有する、ことが好ましい。
【０００８】
一方、本発明のシート供給方法は、閉ループ状の切込の内側が貼付用シートとされ、当該切込の外側が帯状の不要シートとされた接着シートの一方の面に、帯状の剥離シートが仮着された原反を繰り出す工程と、前記不要シートと剥離シートとの仮着状態を維持可能な繋ぎ部材を付設する工程と、前記繰り出される原反から前記貼付用シートを剥離する工程とを備えている、という構成を採用している。
【発明の効果】
【０００９】
以上のような本発明によれば、不要シートと剥離シートとに繋ぎ部材を付設するので、これら不要シートと剥離シートとの仮着状態が強制的に維持されるため、トンネリング現象を抑制することができる。
【００１０】
この際、トンネリング現象を検知可能な検知手段を備えれば、当該検知手段がトンネリング現象を検知したときに繋ぎ部材を付設することができ、繋ぎ部材を節約することができる。
【図面の簡単な説明】
【００１１】
【図１】本発明の一実施形態に係るシート貼付装置の側面図。
【発明を実施するための形態】
【００１２】
以下、本発明の一実施形態を図面に基づいて説明する。
なお、本実施形態におけるＸ軸、Ｙ軸、Ｚ軸は、それぞれが直交する関係にあり、Ｘ軸およびＹ軸は、所定平面内の軸とし、Ｚ軸は、前記所定平面に直交する軸とする。さらに、本実施形態では、Ｙ軸と平行な図１中手前側から観た場合を基準とし、方向を示した場合、「上」がＺ軸の矢印方向で「下」がその逆方向、「左」がＸ軸の矢印方向で「右」がその逆方向、「前」が図１中手前方向であるＹ軸の矢印方向で「後」がその逆方向とする。
【００１３】
図１において、シート貼付装置１０は、閉ループ状の切込ＣＵの内側が貼付用シートＳＳとされ、当該切込ＣＵの外側が帯状の不要シートＵＳとされた接着シートＡＳの一方の面ＡＳ１に、帯状の剥離シートＲＬが仮着された原反ＲＳを繰り出し可能な繰出手段２０と、繰出手段２０で繰り出される原反ＲＳから貼付用シートＳＳを剥離する剥離手段としての剥離板３０と、不要シートＵＳと剥離シートＲＬとの仮着状態を維持可能な繋ぎ部材としての針ＳＴを付設する繋ぎ部材付設手段４０と、不要シートＵＳが剥離シートＲＬから剥がれるトンネリング現象ＴＰを検知可能な光学センサや撮像手段等の検知手段５０と、剥離板３０で剥離された貼付用シートＳＳを被着体としてのウエハＷＦの被着面に押圧して貼付する押圧手段としての押圧ローラ６０と、ウエハＷＦを支持し、当該ウエハＷＦと押圧ローラ６０とを相対移動させる支持手段７０とを備えている。なお、本実施形態の繰出手段２０と剥離板３０と繋ぎ部材付設手段４０とで本願発明のシート供給装置が構成される。
【００１４】
繰出手段２０は、原反ＲＳを支持する支持ローラ２１と、原反ＲＳを案内する複数のガイドローラ２２と、駆動機器としての回動モータ２３Ａによって駆動する駆動ローラ２３と、剥離シートＲＬおよび不要シートＵＳを駆動ローラ２３との間に挟み込むピンチローラ２４と、図示しない駆動機器によって駆動し、剥離シートＲＬおよび不要シートＵＳを回収する回収ローラ２５とを備えている。
【００１５】
繋ぎ部材付設手段４０は、原反ＲＳの繰出方向に直交する方向に１対設けられ、各繋ぎ部材付設手段４０は、図１のＢＢで示した図のように、駆動機器としての直動モータ４１と、直動モータ４１の出力軸４１Ａに支持され、針ＳＴを押圧する針押圧部材４２と、複数の針ＳＴを保持し、針押圧部材４２で押圧される針ＳＴの突出を許容する針保持部材４３と、不要シートＵＳおよび剥離シートＲＬを貫通した針ＳＴ部分を折り曲げる折曲部材４４とを備えた所謂ステープラによって構成されている。なお、剥離板３０の折曲部３１や原反ＲＳを案内する案内面３２には、原反ＲＳに付設された針ＳＴが通る位置に切欠があるとよい。
【００１６】
支持手段７０は、駆動機器としてのリニアモータ７１のスライダ７１Ａに支持されるとともに、減圧ポンプや真空エジェクタ等の図示しない減圧手段に連通された支持面７２Ａを有するテーブル７２を備えている。
【００１７】
以上のシート貼付装置１０において、ウエハＷＦに貼付用シートＳＳを貼付する手順について説明する。
先ず、作業者が原反ＲＳを図１に示すようにセットした後、図示しない操作パネルやパーソナルコンピュータ等の入力手段を介して自動運転開始の信号を入力すると、繰出手段２０が回動モータ２３Ａおよび図示しない駆動機器を駆動し、原反ＲＳを繰り出す。次いで、繋ぎ部材付設手段４０が直動モータ４１を駆動し、時間的または距離的な所定の間隔で不要シートＵＳと剥離シートＲＬとに針ＳＴを突き刺し、それらを貫通した針ＳＴ部分を折曲部材４４で折り曲げる。これにより、不要シートＵＳと剥離シートＲＬとに針ＳＴが付設され、それらの仮着状態が強制的に維持されることとなる。そして、剥離板３０上に位置する先頭の貼付用シートＳＳの繰出方向先端部が折曲部３１によって所定量剥離されたことが図示しない検知手段に検知されると、繰出手段２０が回動モータ２３Ａおよび図示しない駆動機器の駆動を停止し、スタンバイ状態となる。なお、繋ぎ部材付設手段４０で針ＳＴを付設する所定の間隔は、作業者が任意に決定することができる。
【００１８】
そして、人手または多関節ロボットやベルトコンベア等の図示しない搬送手段が支持面７２Ａ上にウエハＷＦを載置すると、支持手段７０が図示しない減圧手段を駆動し、ウエハＷＦを吸着保持した後、リニアモータ７１を駆動し、テーブル７２を図１中実線で示す初期位置から左方向に搬送する。そして、ウエハＷＦが所定の位置に到達したことが図示しない検知手段に検知されると、繰出手段２０が回動モータ２３Ａおよび図示しない駆動機器を駆動し、ウエハＷＦの搬送速度に合わせた速度で原反ＲＳを繰り出す。このときも上述と同様にして、繋ぎ部材付設手段４０が直動モータ４１を駆動し、所定の間隔で不要シートＵＳと剥離シートＲＬとに針ＳＴを付設する。これにより、トンネリング現象ＴＰの発生を抑制しつつ、貼付用シートＳＳが剥離シートＲＬから剥離され、押圧ローラ６０によってウエハＷＦに押圧されて貼付される。そして、剥離板３０上に位置する次の貼付用シートＳＳの繰出方向先端部が折曲部３１によって所定量剥離されたことが図示しない検知手段に検知されると、繰出手段２０が回動モータ２３Ａおよび図示しない駆動機器の駆動を停止し、再びスタンバイ状態となる。
ウエハＷＦに貼付用シートＳＳが貼付され、テーブル７２が所定の位置に到達すると、支持手段７０がリニアモータ７１および図示しない減圧手段の駆動を停止し、人手または図示しない搬送手段によってウエハＷＦが次工程へ搬送され、テーブル７２を初期位置に復帰させ、以降上述と同様の動作が繰り返される。
【００１９】
以上のような実施形態によれば、不要シートＵＳと剥離シートＲＬとに針ＳＴを付設するので、これら不要シートＵＳと剥離シートＲＬとの仮着状態が強制的に維持されるため、トンネリング現象ＴＰを抑制することができる。
【００２０】
以上のように、本発明を実施するための最良の構成、方法等は、前記記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。また、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれる。
【００２１】
たとえば、繰出手段２０は、接着シートＡＳに切込ＣＵが形成されていない原反を採用し、図１中二点鎖線で示すように、折曲部３１までの間で例えば切断手段としてのロータリカッタ８０で接着シートに切込ＣＵを形成するように構成してもよい。なお、切断手段としては、ダイカッタ、レーザカッタ、駆動機器にカッタ刃を支持させたもの等なんら限定されることはない。
剥離手段は、丸棒やローラ等で構成してもよい。
【００２２】
繋ぎ部材付設手段４０は、前記実施形態のように、所定の間隔で不要シートＵＳと剥離シートＲＬとに針ＳＴを付設しつつ、または、所定の間隔で不要シートＵＳと剥離シートＲＬとに針ＳＴを付設することなく、検知手段５０がトンネリング現象ＴＰを検知したときに、不要シートＵＳと剥離シートＲＬとに針ＳＴを付設してもよい。
繋ぎ部材付設手段４０は、１体でもよいし、３体以上でもよく、繋ぎ部材を付設する位置は、不要シートＵＳと剥離シートＲＬとを繋ぐことができる位置であればどこでもよく、例えば、繋ぎ部材の一端側が不要シートＵＳと剥離シートＲＬとが重なった位置とし、他端側が剥離シートＲＬのみの位置となるように当該繋ぎ部材を付設してもよい。
繋ぎ部材付設手段４０は、繋ぎ部材として接着シートＡＳと同様または異なる接着シートを採用した繋ぎ用接着シートを用い、当該繋ぎ用接着シートを不要シートＵＳと剥離シートＲＬとに付設する所謂シート貼付装置を採用したり、リベットを繋ぎ部材とし、当該リベットを不要シートＵＳと剥離シートＲＬとに付設する機器を採用したり、その他、接着剤、粘着剤、ホットメルト、熱や超音波等による溶着等を繋ぎ部材として採用し、それらを不要シートＵＳと剥離シートＲＬとに付設可能な適宜な装置や機器を採用してもよい。
繋ぎ部材付設手段４０は、上記実施形態における直動モータ４１、針押圧部材４２および針保持部材４３の位置と、折曲部材４４との位置を入れ替えてもよい。
繋ぎ部材付設手段４０は、折曲部材４４側に駆動機器を設け、針ＳＴに対して折曲部材４４を離間接近させてもよいし、針ＳＴおよび折曲部材４４の両方を移動させて離間接近させてもよい。
繋ぎ部材付設手段４０は、針ＳＴを実施形態のように原反ＲＳの繰出方向に延びるように付設してもよいし、原反ＲＳの繰出方向に交差する方向に延びるように付設してもよい。
繋ぎ部材付設手段４０を設ける位置は、支持ローラ２１と折曲部３１との間であればどこでもよいし、折曲部３１と回収ローラ２５との間でもよいし、支持ローラ２１と回収ローラ２５との間の原反繰出方向に沿う複数の位置に配置してもよく、トンネリング現象ＴＰを防止できるのであれば（不要シートＵＳと剥離シートＲＬとの仮着状態を維持できるのであれば）どの位置に設けてもよい。
【００２３】
検知手段は、リミットスイッチや圧力センサ等の接触型のセンサであってもよい。
検知手段５０は、なくてもよく、この場合、トンネリング現象ＴＰが発生したことを認識した作業者が繋ぎ部材付設手段４０を操作して、繋ぎ部材を付設してもよい。
【００２４】
押圧手段は、ブレード材、ゴム、樹脂、スポンジ、エアの吹き付け等による押圧部材を採用してもよいし、剥離手段で剥離された貼付用シートＳＳを保持する保持手段と、当該保持手段をウエハＷＦ方向に移動させることで貼付用シートＳＳをウエハＷＦに押圧して貼付する駆動機器とを備えたものでもよい。
押圧手段は、ウエハＷＦの全面または一部に貼付用シートＳＳを貼付してもよい。
【００２５】
支持手段７０は、ウエハＷＦを停止させておき繰出手段２０および押圧ローラ６０を移動させてもよいし、ウエハＷＦと繰出手段２０および押圧ローラ６０との両方を移動させてもよい。
他の装置でウエハＷＦと繰出手段２０および押圧ローラ６０とを相対移動させる場合、本発明において支持手段７０はなくてもよい。
【００２６】
本発明における接着シートＡＳ、貼付用シートＳＳ、繋ぎ用接着シートおよび被着体の材質、種別、形状等は、特に限定されることはない。例えば、貼付用シートＳＳおよび繋ぎ用接着シートは、円形、楕円形、三角形や四角形等の多角形、その他の形状であってもよいし、感圧接着性、感熱接着性等の接着形態のものであってもよく、感熱接着性の接着シートＡＳや繋ぎ用接着シートが採用された場合は、貼付用シートＳＳや繋ぎ用接着シートを加熱する適宜なコイルヒータやヒートパイプの加熱側等の加熱手段を設けるといった適宜な方法で接着されればよい。また、このような接着シートＡＳおよび繋ぎ用接着シートは、例えば、接着剤層だけの単層のもの、基材と接着剤層との間に中間層を有するもの、基材の上面にカバー層を有する等３層以上のもの、更には、基材を接着剤層から剥離することのできる所謂両面接着シートのようなものであってもよく、両面接着シートは、単層又は複層の中間層を有するものや、中間層のない単層又は複層のものであってよい。また、被着体としては、例えば、食品、樹脂容器、シリコン半導体ウエハや化合物半導体ウエハ等の半導体ウエハ、回路基板、光ディスク等の情報記録基板、ガラス板、鋼板、陶器、木板または樹脂板等、任意の形態の部材や物品なども対象とすることができる。なお、接着シートＡＳや貼付用シートＳＳを機能的、用途的な読み方に換え、例えば、情報記載用ラベル、装飾用ラベル、保護シート、ダイシングテープ、ダイアタッチフィルム、ダイボンディングテープ、記録層形成樹脂シート等の任意の形状の任意のシート、フィルム、テープ等を前述のような任意の被着体に貼付することができる。
【００２７】
本発明における手段および工程は、それら手段および工程について説明した動作、機能または工程を果たすことができる限りなんら限定されることはなく、まして、前記実施形態で示した単なる一実施形態の構成物や工程に全く限定されることはない。例えば、剥離手段は、繰出手段で繰り出される原反から貼付用シートを剥離可能なものであれば、出願当初の技術常識に照らし合わせ、その技術範囲内のものであればなんら限定されることはない（他の手段および工程についての説明は省略する）。
また、前記実施形態における駆動機器は、回動モータ、直動モータ、リニアモータ、単軸ロボット、多関節ロボット等の電動機器、エアシリンダ、油圧シリンダ、ロッドレスシリンダおよびロータリシリンダ等のアクチュエータ等を採用することができる上、それらを直接的又は間接的に組み合せたものを採用することもできる（実施形態で例示したものと重複するものもある）。
【符号の説明】
【００２８】
２０…繰出手段
３０…剥離板（剥離手段）
４０…繋ぎ部材付設手段
５０…検知手段
ＡＳ…接着シート
ＡＳ１…一方の面
ＣＵ…切込
ＲＬ…剥離シート
ＲＳ…原反
ＳＳ…貼付用シート
ＳＴ…針（繋ぎ部材）
ＴＰ…トンネリング現象
ＵＳ…不要シート
【図１】
0006412442.tif 000002